(57)【要約】  【課題】  経路に時間帯割引の適用が可能な有料道路が存在する場合において、出発時刻を指定することにより通行料金の算出を行うナビゲーション装置を提供する。【解決手段】  ユーザーが出発地、目的地、および出発予定時刻を入力することにより、出発地と目的地とを結ぶ誘導経路の検索を行う。検索の結果、算出された経路上に有料道路が存在し、かつ有料道路に時間帯割引が設定されている場合、出発地から有料道路のインターチェンジまでの移動にかかる推定走行時間を、道路情報等をもとに算出する。算出された推定走行時間をもとに、出発予定時刻に出発した場合にどの料金が適応されるかを判別する。判別結果をもとに、各有料道路の利用料金を算出する。誘導経路上に複数の有料道路が存在する場合は、それぞれの利用料金を合計することにより、誘導経路全体での有料道路利用料金を算出する。【選択図】    図１
2007085766.tif 000002
【特許請求の範囲】
【請求項１】
出発地及び目的地が入力された際に、前記出発地と前記目的地とを結ぶ誘導経路を設定する経路設定手段と、
前記経路設定手段において、出発時刻を設定する出発時刻設定手段と、
前記誘導経路上に有料道路が存在する場合において、前記有料道路の利用時に課金される通行料金を計算する通行料金計算手段と、
前記有料道路を特定の時間帯に利用することにより通行料金の割引が適応される割引時間帯が前記有料道路に設定されている場合において、前記割引時間帯における通行料金を計算する割引通行料金計算手段と、
を備えたナビゲーション装置において、
前記出発地から、前記誘導経路上に存在する前記有料道路と通常道路との境界であるインターチェンジまでの移動にかかる推定走行時間を算出する推定走行時間算出手段と、
前記推定走行時間と前記割引時間帯とを用いて、前記出発時刻に出発した場合に、前記有料道路を前記割引時間帯に利用可能かどうか判別する割引判別手段と、
を備えたことを特徴とするナビゲーション装置。
【請求項２】
前記誘導経路上に一または複数の前記有料道路が存在する場合において、前記割引判別手段を用いることにより、前記出発時刻に出発した場合において前記割引時間帯に前記有料道路を利用可能であるかを前記有料道路ごとに判別し、前記判別結果をもとに前記有料道路の利用料金及び前記誘導経路全体での有料道路利用料金の合計を算出する利用料金算出手段
を備えたことを特徴とする請求項１に記載のナビゲーション装置。
【請求項３】
前記利用料金算出手段を用いて得られた前記有料道路単位での有料道路利用料金、および前記誘導経路単位での有料道路利用料金を、表示部を用いてユーザーに対して通知する利用料金表示手段
を備えたことを特徴とする請求項１または請求項２に記載のナビゲーション装置。
【請求項４】
出発地及び目的地が入力された際に、前記出発地と前記目的地とを結ぶ誘導経路を設定する経路設定工程と、
前記経路設定工程において、出発時刻を設定する出発時刻設定工程と、
前記誘導経路上に有料道路が存在する場合において、前記有料道路の利用時に課金される通行料金を計算する通行料金計算工程と、
前記有料道路を特定の時間帯に利用することにより通行料金の割引が適応される割引時間帯が前記有料道路に設定されている場合において、前記割引時間帯における通行料金を計算する割引通行料金計算工程と、
を有する料金検索方法において、
前記出発地から、前記誘導経路上に存在する前記有料道路と通常道路との境界であるインターチェンジまでの移動にかかる推定走行時間を算出する推定走行時間算出工程と、
前記推定走行時間と前記割引時間帯とを用いて、前記出発時刻に出発した場合に、前記有料道路を前記割引時間帯に利用可能かどうか判別する割引判別工程と、
を有することを特徴とする料金検索方法。
【請求項５】
前記誘導経路上に一または複数の前記有料道路が存在する場合において、前記割引判別工程により、前記出発時刻に出発した場合において前記割引時間帯に前記有料道路を利用可能であるかを前記有料道路ごとに判別し、前記判別結果をもとに前記有料道路の利用料金及び前記誘導経路全体での有料道路利用料金の合計を算出する利用料金算出工程
を有することを特徴とする請求項４に記載の料金検索方法。
【請求項６】
前記利用料金算出工程により得られた前記有料道路単位での有料道路利用料金、および前記誘導経路単位での有料道路利用料金を、表示部を用いてユーザーに対して通知する利用料金表示工程
を有することを特徴とする請求項４または請求項５に記載の料金検索方法。
【発明の詳細な説明】
【技術分野】
【０００１】
本発明は、車載用のナビゲーション装置に関するものであり、特に経路検索処理において経路中に有料道路が含まれる場合の料金検索方法に関する。
【背景技術】
【０００２】
近年、車載用のナビゲーション装置には多くの機能が設けられる傾向がある。特にユーザーにとって有用な機能としては、出発地から目的地までの経路を自動的に検索し、検索された経路を誘導経路として地図上に表示する経路検索機能が存在する。この機能を用いれば、出発地と目的地とを入力装置から入力することにより、出発地と目的地とを最適ルートで結ぶ誘導経路を自動的に検索し、ＬＣＤ（液晶表示装置）等の表示装置に表示することが可能である。
【０００３】
また、検索された誘導経路に従ってユーザーが走行を行う際に、誘導経路を地図上に表示し、併せて自車位置を表示することにより、ユーザーを目的地まで案内する誘導機能が存在する。この機能を用いれば、例えば走行中に交差点に近付いた際に、その交差点の拡大図（表示装置の所定の表示範囲内に表示される地図を、その表示要素数を減少させてデフォルメした図）を表示する等、走行中の経路に関する様々な情報をリアルタイムでユーザーに対して通知することが可能である。
【０００４】
また、検索された誘導経路上に有料道路（高速道路等）が存在する場合において、有料道路の通行料金の決済をスムーズに行う為に、車両に設置した車載器と料金所に設けられた路側アンテナとの間で情報の送受信を行うことによりノンストップで料金決済を行うＥＴＣ（Electronic Toll Collection System）と呼ばれる自動料金支払いシステムが存在する。ＥＴＣは、料金所等の決済場所に設けられた路側アンテナと、車両に設置された車載器との間で近距離無線通信を行うことにより、各種情報（車両ナンバー、通過時刻等）の送受信を行い、通行料金の決済を行うシステムである。
【０００５】
上記のＥＴＣ（自動料金支払いシステム）に於いて、車両に設置した車載器に専用のクレジットカード（通称、ＥＴＣカード）を挿入することで、車両が路側アンテナに接近すると自動的に近距離無線通信による通信を開始し、通行料金等の決済を行うことができる。そして、利用者が車両から降車する際には、ＥＴＣカードの盗難を防ぐ為に、車載器からＥＴＣカードを抜き取り保管することとなる。
【０００６】
しかしながら上記の各種機能を備えた従来のナビゲーション装置においては、その機能の多さからユーザーに要求される操作数が増加し、また直感的な操作が行い難くなるという問題が存在した。例えば上記の経路検索機能において、経路の途中に有料道路が存在する場合、有料道路を使用するか、或いは使用しないかにより走行時間及び通行料金が変化する。このため、どのルートを誘導経路として選択するかをユーザーが随時選択しなければならず、またどの経路が最も自分の目的に適した経路であるかを直感的に判断しにくいという問題があった。このように、機能が豊富になることにより得られる情報量も多くなる反面、ユーザーにとっての利便性が損なわれる可能性があるとう問題が存在した。
【０００７】
上記の問題に関連して特許文献１においては、ユーザーに対して煩雑な操作を要求することがなく、有料道路の通行料金に関連した新たな便益をユーザーに提供することができるナビゲーション装置、及びナビゲーション装置の通行料金報知方法が開示されている。特許文献１のナビゲーション装置、及びナビゲーション装置の通行料金報知方法は、出発地から目的地までの経路上に存在する有料道路で支払うべき通行料金を算出するとともに、その算出した通行料金を報知させる制御手段を備えたものである。上記構成において、目的地までの経路が計算されると、計算された経路上に存在する有料道路で支払うべき通行料金が自動的に算出される。
【０００８】
また、計算した同一の目的地までの複数の経路について、各々の経路上で支払うべき通行料金を取得するとともに、その取得した通行料金が最も安い経路を算出する。これにより、より安い費用で目的地に到着することができる経路が自動的に検索される。この際、ユーザーは金額を入力することにより、検出された経路上に存在する有料道路で支払うべき通行料金の合計金額の上限を指定することが可能である。
【０００９】
上記の特許文献１の発明によれば、目的地までの経路を検索した際に、ユーザーがなんら操作を行うことなく、経路上に含まれる有料道路の通行料金に関する情報を確認することができる。これにより、煩雑な操作を行うことなく、有料道路の通行料金に関連した新たな便益を受けることができる。また、計算した目的地までの経路上に存在する有料道路で支払うべき通行料金を取得するとともに、その取得した通行料金の合計金額を報知させることにより、ユーザーに対して、計算した経路に沿って目的地へ行くのに必要な費用を直ちに知らせることができる。また、計算した目的地までの経路上に存在する有料道路で支払うべき通行料金を取得するとともに、有料道路の種類毎の合計金額を算出し報知させることにより、使用者に対して、計算した経路に沿って目的地へ行くのに必要な費用を有料道路の種類毎に直ちに知らせることができる。
【００１０】
上記の特許文献１に代表されるような従来のナビゲーション装置においては、有料道路を利用する時間帯によって料金に割引が適応される場合、通常の料金と割引料金との両方を表示する機能を備えたものが存在する。しかしながら、例えば経路上に有料道路が複数存在する場合、それぞれの有料道路を通過する時間により通行料金の合計金額が変化する。このため、ユーザーは各有料道路を何時に通過するかを考慮した上で、各通行料金を足しあわせて通行料金の合計金額を算出しなければならない。例えば今現在の時刻を出発時刻として出発する（つまり今すぐ出発する）場合、現在時刻をもとに各有料道路通過時刻を想定し、各有料道路で時間帯割引が適応されるかどうかを一つずつ確認し、その結果をもとに通行料金の合計額を手動で計算しなければならない。このように、経路上に時間帯割引が適応される有料道路が存在する場合、通行料金を容易かつ直感的に確認することが難しいという問題があった。
【特許文献１】特開平１０−１４１９８２号公報
【発明の開示】
【発明が解決しようとする課題】
【００１１】
本発明は、上記の問題を解決するためになされたものであって、その目的は、ユーザーが経路検索を行い、検索した誘導経路上に時間帯割引の適用が可能な有料道路が一または複数存在する場合において、出発時刻を指定することにより通行料金の合計額を自動的に算出してユーザーに対して提示する機能を備えた車載用のナビゲーション装置を提供することにある。
【課題を解決するための手段】
【００１２】
上記目的を達成するために本発明のナビゲーション装置は、
出発地及び目的地が入力された際に、前記出発地と前記目的地とを結ぶ誘導経路を設定する経路設定手段と、
前記経路設定手段において、出発時刻を設定する出発時刻設定手段と、
前記誘導経路上に有料道路が存在する場合において、前記有料道路の利用時に課金される通行料金を計算する通行料金計算手段と、
前記有料道路を特定の時間帯に利用することにより通行料金の割引が適応される割引時間帯が前記有料道路に設定されている場合において、前記割引時間帯における通行料金を計算する割引通行料金計算手段と、
を備えたナビゲーション装置において、
前記出発地から、前記誘導経路上に存在する前記有料道路と通常道路との境界であるインターチェンジまでの移動にかかる推定走行時間を算出する推定走行時間算出手段と、
前記推定走行時間と前記割引時間帯とを用いて、前記出発時刻に出発した場合に、前記有料道路を前記割引時間帯に利用可能かどうか判別する割引判別手段と、
を備えたことを特徴としている。
【００１３】
この構成によると、
ユーザーが出発地、目的地、および出発予定時刻を入力することにより、出発地と目的地とを結ぶ誘導経路の検索を行う検索の結果、算出された経路上に有料道路が存在し、かつ有料道路に時間帯割引（特定の時間帯に有料道路を利用することにより適応される割引）が設定されている場合、出発地から有料道路のインターチェンジ（有料道路と通常道路との境界であり、有料道路利用料金の課金処理が行われる地点）までの移動にかかる推定走行時間を、道路情報等をもとに算出する。算出された推定走行時間をもとに、出発予定時刻に出発した場合にどの料金（通常料金、或いは時間帯割引適応料金）が適応されるかを判別する。
また、上記目的を達成するために本発明のナビゲーション装置は、
前記誘導経路上に一または複数の前記有料道路が存在する場合において、前記割引判別手段を用いることにより、前記出発時刻に出発した場合において前記割引時間帯に前記有料道路を利用可能であるかを前記有料道路ごとに判別し、前記判別結果をもとに前記有料道路の利用料金及び前記誘導経路全体での有料道路利用料金の合計を算出する利用料金算出手段
を備えたことを特徴としている。
【００１４】
この構成によると、
誘導経路検索処理により算出された誘導経路上に一または複数の有料道路が存在する場合において、出発予定時刻に出発した場合における各有料道路の利用料金を、前記割引判別手段を用いて算出する。誘導経路上に複数の有料道路が存在する場合は、それぞれの利用料金を合計することにより、誘導経路全体での有料道路利用料金を算出する。
【００１５】
また、上記目的を達成するために本発明のナビゲーション装置は、
前記利用料金算出手段を用いて得られた前記有料道路単位での有料道路利用料金、および前記誘導経路単位での有料道路利用料金を、表示部を用いてユーザーに対して通知する利用料金表示手段
を備えたことを特徴としている。
【００１６】
この構成によると、
前記利用料金算出手段によって算出された有料道路ごとの利用料金（通常料金、或いは時間帯割引適応後の利用料金）および誘導経路全体での有料道路利用料金を、ＬＣＤ（液晶表示装置）等の表示装置を用いて、誘導経路情報と併せて表示する。
【発明の効果】
【００１７】
本発明の第一の構成によれば、
経路上に有料道路が存在する場合において、出発予定時刻を指定することにより、経路上にある有料道路に時間帯割引が適応されるかどうかの判別を制御部が自動的に行う。このためユーザーは、出発点から有料道路のインターチェンジまでにかかる移動時間を計算し、それをもとに時間帯割引が適用されるかどうかを考慮する必要がなくなる。このため、有料道路ごとに時間帯割引を利用できるかどうかの情報を容易に知ることができるため、ユーザーにとっての利便性が向上する。
【００１８】
また本発明の第二の構成によれば、
経路上に有料道路が一または複数存在する場合において、出発予定時刻を指定することにより、経路上にある各有料道路の利用料金を、時間帯割引が適応されるかどうかの結果を元に自動的に算出する。このためユーザーは、出発点から各有料道路のインターチェンジまでにかかる移動時間を計算し、それをもとに時間帯割引が適用されるかどうかを考慮し、その結果をもとに利用料金を算出する必要がない。また、誘導経路全体における利用料金の合計の計算も自動的に算出される。このように、有料道路および誘導経路ごとにかかる利用料金の合計を容易に知ることができるため、ユーザーにとっての利便性が向上する。
【００１９】
また本発明の第三の構成によれば、
前記処理で算出された有料道路或いは誘導経路単位での利用料金を、表示部等を用いて表示することにより、経路情報と共にユーザーに対して通知することが可能である。これにより、ユーザーは経路検索操作を行った際に、経路情報と併せて有料道路の利用料金も確認することができる。このため、ユーザーに要求される操作数が減少し、利便性が向上する。
【発明を実施するための最良の形態】
【００２０】
本発明の実施の一形態について、図面に基づいて説明すれば、以下の通りである。
［実施の形態］
〈１．ナビゲーション装置の内部構成について〉
ここで、本発明の第一の実施形態におけるナビゲーション装置１の電気回路システムの要部構成を、図２のブロック図を用いながら説明する。
【００２１】
図２のブロック図に示すように、本発明のナビゲーション装置１は、少なくとも、制御部１１、メモリ１２、記憶部１３、ＲＯＭ１４、ＥＴＣ処理部１５、現在位置検出部１６、操作ボタン群１７、および表示部１８を含むように構成されている。
【００２２】
制御部１１は、ナビゲーション装置１の各部材の駆動を有機的に制御することによりナビゲーション処理（経路の検索、地図データの表示等）を統括制御するための中央処理装置である。また制御部１１は、各装置（例えば記憶部１３等）の制御やデータの計算、加工処理等を行なう中枢部分となっている。
【００２３】
メモリ１２は、ナビゲーション装置１が保持する各種データを一時的に記憶する媒体であり、例えば書込可能なＲＡＭ（Random Access Memory）等により構成されている。メモリ１２は、例えば制御部１１によって各種ナビゲーション処理が行われる際の処理データや、ユーザーから受けた指示命令等を一時的に記憶しておくためのバッファメモリとしての役割を持つ。
【００２４】
記憶部１３は、ナビゲーション装置１が保持する各種データ（道路データ、道路料金データ等）を記録するための記憶媒体である。なお、記憶部１３は、複数の領域（パーティション）に物理的に分割されており、記憶するデータの種別に応じて領域別に記憶することがより望ましい。記憶部１３は少なくとも、道路データを記憶する領域である道路データ記憶領域１３ａと、道路料金データを記憶する領域である道路料金データ記憶領域１３ｂとを含むように構成されている。
【００２５】
ＲＯＭ（Read Only Memory）１４は、例えば制御部１１を用いた各種処理（例えば経路検索処理等）を行うためのプログラムデータを記憶するための媒体であり、ユーザーは情報の読み出しのみが可能となっている。
【００２６】
ＥＴＣ処理部１５は、有料道路の通行料金決済、各種施設での料金決済を行う為のＥＴＣ情報、カード情報を抽出するための処理回路であり、前記各種情報はアンテナ部（不図示）を用いて路側アンテナに対して送信される。更に、アンテナ部に於いて受信した情報を制御部１１に対して送信することにより、例えば表示部１８からその処理結果を表示、再生することが可能である。有料道路の通行料金決済を行う場合には、ＥＴＣ処理部１５は、例えばＩＣカードチップに記録されているＥＴＣ情報を抽出し、それを暗号化し、アンテナ部を用いて送信することにより行われる。
【００２７】
現在位置検出部１６は、ナビゲーション装置（ひいてはナビゲーション装置を搭載している車両）の現在位置を特定するための回路である。現在位置検出部１６は、例えば地磁気センサ、ジャイロスコープ、車速センサ、および衛星からの電波に基づいて車両の位置を検出するＧＰＳ（Global Positioning System）のためのＧＰＳ受信機等からの情報を受信する。これらの装置により取得された情報をもとに、現在位置検出部１６は車両の現在位置を特定する。
【００２８】
操作ボタン群１７は、ユーザーが道路検索の指示や道路情報の表示指示等をナビゲーション装置１に対して行なうための入力インターフェースである。表示部１８は、ナビゲーション装置１の各種情報をユーザーに対して表示するための出力インターフェースである。
〈２．経路検索工程について〉
ここで、本発明のナビゲーション装置１における経路検索処理の処理工程を、図１のフロー図と、図２、図３および図４のブロック図とを用いながら説明する。
【００２９】
図１に示すように、制御部１１がユーザーより経路検索機能の実施命令を検知することにより、本処理が開始される（Ｓ１１０）。なお、経路検索機能の実施命令は、例えばユーザーが操作ボタン群１７を用いて経路検索ボタンの押下を行なった場合等に発行される。
【００３０】
経路検索機能の実施命令を受けた制御部１１は、ユーザーより出発地及び目的地が入力されるのを待ち受けるため、待機状態に移行する。待機状態においてユーザーからの入力を検知した制御部は（Ｓ１２０）、次にユーザーより出発時刻が入力されるのを待ち受けるため、待機状態に移行する（Ｓ１３０）。入力された出発地、目的地、および出発時刻に関する情報と、記憶部１３の道路データ記憶領域１３ａに記憶されている道路データより、経路の検索を行う（Ｓ１４０）。なお、前記Ｓ１２０の処理において出発地点を設定する際に、現在位置検出部１６によって検出された現在位置を自動的に出発地点に設定することも可能である。
【００３１】
制御部１１は、上記Ｓ１４０の経路検索処理の結果、検索された経路上に、時間帯割引（一定の時間帯に利用することにより利用料金が割引されるサービス）が適用可能な有料道路があるかどうかの確認を行う（Ｓ１５０）。時間帯割引の適用可能な有料道路が存在する場合、次のＳ１５０の処理に移行する。時間帯割引の適用可能な有料道路が存在しない場合、従来の経路検索処理と同様の処理を行い、本処理を終了する。なお、従来の経路検索処理の詳細については、ここでは説明を省略する。
【００３２】
前記Ｓ１４０の処理において、経路上に時間帯割引が適用可能な有料道路があると判断された場合、制御部１１は道路データ記憶領域１３に記憶されている道路データより、出発地から経路上にある各インターチェンジ（有料道路の走行開始或いは走行終了をチェックする地点）までの距離、道路情報（制限速度等）、渋滞状況等を取得し、取得した各種情報により、出発地点から各インターチェンジまでの移動にかかると推定される時間（推定走行時間）を算出する（Ｓ１６０）。
【００３３】
制御部１１は、ユーザーが入力した出発時刻と、前記Ｓ１６０により算出された推定走行時間と、各有料道路の割引時間帯情報とを用いて、出発時刻に出発した場合に、各有料道路で割引料金が適用されるかどうかを確認する（Ｓ１７０）。例えば図３に示すように、ユーザーがある地点（出発点Ａ）から自宅（目的地Ｄ）までの経路を、経路検索により取得したとする。この経路には有料道路（矢印βで示される区間）が一つ存在する。有料道路にはインターチェンジＢ及びインターチェンジＣが存在し、この二地点を通過する際にＥＴＣ制御部１５を用いて路側アンテナと各種情報の交信を行うことにより、通行料金の課金が行われる。
【００３４】
ここで例えば、インターチェンジＢを、午前１時から午前４時の間に通過した場合に、割引料金が適応されるとする（なお、インターチェンジＣを通過する時間に関しては制限はないものとする）。そしてユーザーが入力した出発時刻が午前２時であり、かつ前記Ｓ１６０の処理によって算出された推定走行時間が一時間であったとする。この場合、出発時刻（午前２時）から推定走行時間（一時間）が経過した、午前３時にインターチェンジＢを通過することになる。この時刻は割引時間帯（午前１時から午前４時）の範囲内であるため、割引料金が適応されることとなる。
【００３５】
また例えば、前記Ｓ１７０の処理において、経路上に有料道路が複数存在する場合の例を説明する。図４に示すように、ユーザーがある地点（出発点Ａ）から自宅（目的地Ｆ）までの経路を、経路検索により取得したとする。この経路には有料道路β１（矢印β１で示される区間）および有料道路β２（矢印β２で示される区間）の二つの有料道路が存在する。各有料道路にはインターチェンジＢからインターチェンジＥが存在し、この各地点を通過する際にＥＴＣ制御部１５を用いて路側アンテナと各種情報の交信を行うことにより、通行料金の課金が行われる。
【００３６】
ここで例えば、インターチェンジＢを、午前１時から午前４時の間に通過した場合に、有料道路β１に割引料金が適応されるとする。また、インターチェンジＤを午後午前０時から午後５時の間に通過した場合に、有料道路β２に割引料金が適応されるとする。そしてユーザーが入力した出発時刻が午前２時であり、かつ前記Ｓ１６０の処理によって算出されたインターチェンジＢまでの推定走行時間（推定走行時間１）が一時間、インターチェンジＤまでの推定走行時間（推定走行時間２）が四時間であったとする。
【００３７】
この場合、出発時刻（午前２時）から推定走行時間１（一時間）が経過した、午前３時にインターチェンジＢを通過することになる。この時刻は有料道路β１の割引時間帯（午前１時から午前４時）の範囲内であるため、有料道路β１では割引料金が適応されることとなる。また、出発時刻（午前２時）から推定走行時間２（四時間）が経過した、午前６時にインターチェンジＤを通過することになる。この時刻は有料道路β２の割引時間帯（午前０時から午前５時）の範囲外であるため、有料道路β２では割引料金が適応されないこととなる。なお、経路上に有料道路が三つ以上存在する場合の処理も同様である。
【００３８】
制御部１１は、上記Ｓ１７０によって確認された結果（各有料道路に対して時間帯割引が適応されるかどうか）をもとに、各有料道路の通行料金、或いは通行料金の合計金額を、表示部１８等を用いてユーザーに対して通知する（Ｓ１８０）。
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００３９】
例えば前述した実施形態の機能を実現するソフトウェアのプログラムコードを記録した記憶媒体を、ナビゲーション装置１に供給し、そのナビゲーション装置１内のコンピュータ（例えばＣＰＵ）が記憶媒体に格納されたプログラムコードを読出し実行することによっても、達成されることは言うまでもない。
【００４０】
この場合、記憶媒体から読出されたプログラムコード自体が、前述した実施形態の機能を実現することになり、そのプログラムコードを記憶した記憶媒体は本発明を構成することになる。
【００４１】
なお、プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４４】
また、本実施形態では、有料道路の通行料金算出のための道路データ、道路料金データ等として、記憶部１３に記憶されているデータを用いているが、無線通信等の通信手段によって外部機関より得られたデータを用いて通行料金算出を行っても良い。また、有料道路への入出時間を特定するための推定走行時間を算出する際に、無線通信等により外部機関より提供される渋滞情報等を受信し、それらを考慮に入れて推定走行時間の算出を行ってもよい。
【００４５】
また、本発明の経路検索方法が、ナビゲーション装置以外の情報処理装置において用いられたとしても、同様の効果がえられることは言うまでもない。なお、ナビゲーション装置以外の情報処理装置としては、例えばパソコン、ＰＤＡ、デジタルテレビ、携帯電話などが考えられる。
【図面の簡単な説明】
【００４６】
【図１】本発明のナビゲーション装置による経路検索処理の処理フロー図である。
【図２】本発明のナビゲーション装置内部の要部構成を示したブロック図である。
【図３】本発明のナビゲーション装置による経路検索処理の一例を示したブロック図である。
【図４】本発明のナビゲーション装置による経路検索結果の一例を示したブロック図である。
【符号の説明】
【００４７】
１      ナビゲーション装置
１１    制御部
１２    メモリ
１３    記憶部
１４    ＲＯＭ
１５    ＥＴＣ処理部
１６    現在位置検出部
１７    操作ボタン群
１８    表示部
【図１】
2007085766.tif 000003
【図２】
2007085766.tif 000004
【図３】
2007085766.tif 000005
【図４】
2007085766.tif 000006